(57)【要約】【課題】ツーインワン挿入式メモリカード・アダプターを提供する。【解決手段】本考案によるツーインワン挿入式メモリカード・アダプターは、ＳＤカードのサイズに対応し、外部にＳＤカード伝送規格の電気導通片組を剥き出しに設け、該アダプター内部に接続溝を設ける。そのうち、該接続溝は、ＭＩＮＩ ＳＤカードを挿入して固定される。またはＭＩＮＩ ＳＤメモリカードサイズの固定筐体を挿入して固定することもできる。該固定筐体はさらにＭＩＣＲＯ ＳＤカードの固定に備え、ＭＩＣＲＯ ＳＤカードは固定筐体を介して、接続溝に固定する。前記した接続溝は、前記した電気導通片窓組と電気接続する第１端子組と第２端子組を設ける。第１端子組はＭＩＮＩ ＳＤカードの接続、第２端子組はＭＩＣＲＯ ＳＤカードの接続それぞれに提供する。【選択図】図９
0003125249.tif 000002
【実用新案登録請求の範囲】
【請求項１】
ＳＤカードのサイズとＳＤカードの電気接続規格に合致し、ＭＩＮＩ ＳＤカード、ＭＩＣＲＯ ＳＤカードのいずれと接続変換し、
ハウジング、端子基板、固定筐体を具備し、
ハウジングを設け、その外形はＳＤカードのサイズに合致し、その先端部に電気導通窓組を設け、後部にＭＩＣＲＯ ＳＤカードサイズのアダプター挿入固定するための接続溝を設け、
端子基板をハウジング内部に設け、電気導通窓組の場所に電気導通片組を設け、該電気導通片組はＳＤカードの電気規格に合致し、前記の端子基板に、第１端子組と第２端子組をそれぞれ設け、該第１端子組と第２端子組は合せて、前記の電気導通片組と電気接続し、ＭＩＮＩ ＳＤカードを前記の接続溝に挿入固定したとき、該第１端子組はＭＩＮＩ ＳＤカードと接続され、
固定筐体をＭＩＮＩ ＳＤカードサイズに設け、該固定筐体はＭＩＣＲＯ ＳＤカードを固定するための固定部を設け、固定筐体を前記の接続溝に挿入固定したとき、該第２端子組は、ＭＩＣＲＯ ＳＤカードに接続されることを特徴とするツーインワン挿入式メモリカード・アダプター。
【請求項２】
請求項１記載のツーインワン挿入式メモリカード・アダプターにおいて、該ハウジングはさらに、下蓋を設け、下蓋に連結し端子基板に備える上蓋を覆うことを特徴とするツーインワン挿入式メモリカード・アダプター。
【請求項３】
請求項２記載のツーインワン挿入式メモリカード・アダプターにおいて、上蓋は金属製であることを特徴とするツーインワン挿入式メモリカード・アダプター。
【請求項４】
請求項２記載のツーインワン挿入式メモリカード・アダプターにおいて、上蓋はプラスチック製であることを特徴とするツーインワン挿入式メモリカード・アダプター。
【請求項５】
請求項１記載のツーインワン挿入式メモリカード・アダプターにおいて、該ハウジングはさらに、下蓋を設け、下蓋に連結し、端子基板を挟む内蓋を設け、下蓋に連結し、端子基板を覆う上蓋を設けることを特徴とするツーインワン挿入式メモリカード・アダプター。
【請求項６】
請求項５記載のツーインワン挿入式メモリカード・アダプターにおいて、上蓋は金属製であることを特徴とするツーインワン挿入式メモリカード・アダプター。
【請求項７】
請求項５記載のツーインワン挿入式メモリカード・アダプターにおいて、内蓋はプラスチック製であることを特徴とするツーインワン挿入式メモリカード・アダプター。
【請求項８】
請求項１記載のツーインワン挿入式メモリカード・アダプターにおいて、該端子基板上に複数の貫通孔を設け、下蓋に前記の複数の貫通孔に対応し、内蓋と接触する熱溶融突起棒を設けることを特徴とするツーインワン挿入式メモリカード・アダプター。
【考案の詳細な説明】
【技術分野】
【０００１】
本考案によるツーインワン挿入式メモリカード・アダプターは、一種の挿接手段により、ＭＩＮＩ ＳＤカードまたはＭＩＣＲＯ ＳＤカードのいずれを挿入し、ＳＤカード接続規格に合致するアダプターに変換できる。
【背景技術】
【０００２】
現在、市販のメモリカードの種類が多岐にわたり、各メーカのメモリカードのサイズもそれぞれ異なるため、利用者はそのメモリカードを共用するため、許容性を有する電気製品を購入しなければならない。
【０００３】
しかしながら、多くのメモリカードの中、ＭＩＮＩ ＳＤカード、ＭＩＣＲＯ ＳＤカード及びＳＤカードなど、一部のメモリカードは同じ読取格式を採用している。その違いは、外形寸法が異なるのみである。一方、市販のＭＩＮＩ ＳＤカードをＳＤカード接続規格に変換できるＭＩＮＩ ＳＤ−ＳＤに変換するアダプターを入手し、ＭＩＮＩ ＳＤカードはＭＩＮＩ ＳＤ−ＳＤアダプターの変換により、ＳＤカードを装備した電子製品のコンテンツを読み取る。
【０００４】
または、市販のＭＩＣＲＯ ＳＤカードをＳＤカード接続規格に変換するＭＩＣＲＯ ＳＤ−ＳＤアダプターを使用し、ＭＩＣＲＯ ＳＤカードはＭＩＣＲＯ ＳＤ−ＳＤアダプターの変換により、ＳＤを装備した電子製品のコンテンツを読み取る。
【０００５】
しかしながら、ＰＤＡ、携帯電話、携帯アルバム、ノートパソコンなど携帯式の電子製品は、データ、映像または音声をアクセスするとき、その接続規格がＳＤカードのとき、ＭＩＮＩ ＳＤ−ＳＤアダプターまたはＭＩＣＲＯ ＳＤ−ＳＤアダプターを使用し、ＭＩＣＲＯ ＳＤカードまたはＭＩＮＩ ＳＤカードに接続して、データのアップロードまたはダウンロードしなければならない。
【０００６】
利用者は使用するとき、ＭＩＮＩ ＳＤ−ＳＤアダプターとＭＩＣＲＯ ＳＤ−ＳＤアダプターと二種類の変換規格のアダプターを入手必要がある。このため、利用者の携帯に不便を与えるほか、使用するときの困惑を発生する。
【考案の開示】
【考案が解決しようとする課題】
【０００７】
本考案の主要目的は、一種のツーインワン挿入式メモリカード・アダプターを考案し、一つのアダプターにＭＩＮＩ ＳＤカード−ＳＤ変換とＭＩＣＲＯ ＳＤ−ＳＤ変換の機能を持つことにより、ＭＩＮＩ ＳＤカードとＭＩＣＲＯ ＳＤカードとも、一つのアダプターで変換し、ＳＤカードスロットを装備した電子製品に接続する。
【０００８】
本考案によるツーインワン挿入式メモリカード・アダプターは、ＳＤカードの寸法、並びにＳＤカードの電気接続規格に合致するため、ＭＩＮＩ ＳＤカード、ＭＩＣＲＯ ＳＤカードのいずれを変換できる。主にハウジング、端子基板、および固定筐体より構成する。
【０００９】
前記のハウジングの外形は、ＳＤカードと同じ寸法である。その先端部に電気導通窓組を設け、後端部はＭＩＮＩ ＳＤカードの挿入および固定するため、同じ寸法の接続溝を設ける。
【００１０】
前記の端子基板はハウジング内部に取り付けて、電気導通窓組に対応した場所に、電気導通片組を設け、該電気導通片組は、ＳＤカードの電気接続規格に合致する。前記の端子基板はさらに、第１端子組と第２端子組を設けるほか、該第１端子組は第２端子組を併せて、前記の電気導通片組と電気接続する。端子基板はさらに、若干の貫通孔を設け、下蓋に前記の貫通孔に対応し、互いに接触する溶融突起棒を設ける。ＭＩＮＩ ＳＤカードは前記の接続溝に挿入することにより固定したとき、該第１端子組はＭＩＮＩ ＳＤカードに接続される。
【００１１】
前記の固定筐体はＭＩＮＩ ＳＤと同じ寸法を設け、固定筐体において、ＭＩＣＲＯ ＳＤカードを固定するための固定部を設ける。固定筐体は前記の接続溝に挿入することにより固定したとき、該第２端子組はＭＩＣＲＯ ＳＤカードに接続される。なお、ＭＩＣＲＯ ＳＤカードを挿入式メモリカード・アダプターに固定するときは、ＭＩＣＲＯ ＳＤカードを前記の固定筐体に挿入し固定した上、ＭＩＣＲＯ ＳＤカードを取り付けた固定筐体を接続溝に挿入することにより、ＭＩＣＲＯ ＳＤカードは、間接的に接続溝に固定し、第２端子組に接続される。
【００１２】
ツーインワン挿入式メモリカード・アダプターはこれにより、ＭＩＮＩ ＳＤカードの挿入変換、またはＭＩＣＲＯ ＳＤカードは固定筐体の固定により、間接的挿入変換することを提供できる。
【００１３】
このほか、前記ハウジングの設置は、以下に示す三つの手段がある。
（１）  該ハウジングは、下蓋、下蓋に連結し、端子基板のはさみと遮蔽するための上蓋、該上蓋はプラスチック部材を使用し、下蓋と接ぎ合わせた後、ハウジング全体はプラスチック部材より構成する態様となる。
（２）  該ハウジングは、下蓋、下蓋に連結し、端子基板のはさみと遮蔽するための上蓋、該上蓋は金属部材を使用し、下蓋と接ぎ合わせた後、ハウジングの一面はプラスチック部材、他面は金属部材より構成する態様となる。
（３）  該ハウジングはさらに、下蓋、下蓋に連結し、端子基板をはさむ内蓋、下蓋に連結し、端子基板のはさみと遮蔽するための上蓋より構成しても良い。そのうち、内蓋はプラスチック製、上蓋は金属製それぞれを使用したとき、ハウジングの一面はプラスチック部材、他面はプラスチック部材と金属部材の合せものより構成する態様となる。
【課題を解決するための手段】
【００１４】
請求項１の考案は、ＳＤカードのサイズとＳＤカードの電気接続規格に合致し、ＭＩＮＩ ＳＤカード、ＭＩＣＲＯ ＳＤカードのいずれと接続変換し、
ハウジング、端子基板、固定筐体を具備し、
ハウジングを設け、その外形はＳＤカードのサイズに合致し、その先端部に電気導通窓組を設け、後部にＭＩＣＲＯ ＳＤカードサイズのアダプター挿入固定するための接続溝を設け、
端子基板をハウジング内部に設け、電気導通窓組の場所に電気導通片組を設け、該電気導通片組はＳＤカードの電気規格に合致し、前記の端子基板に、第１端子組と第２端子組をそれぞれ設け、該第１端子組と第２端子組は合せて、前記の電気導通片組と電気接続し、ＭＩＮＩ ＳＤカードを前記の接続溝に挿入固定したとき、該第１端子組はＭＩＮＩ ＳＤカードと接続され、
固定筐体をＭＩＮＩ ＳＤカードサイズに設け、該固定筐体はＭＩＣＲＯ ＳＤカードを固定するための固定部を設け、固定筐体を前記の接続溝に挿入固定したとき、該第２端子組は、ＭＩＣＲＯ ＳＤカードに接続されることを特徴とするツーインワン挿入式メモリカード・アダプターとしている。
請求項２の考案は、請求項１記載のツーインワン挿入式メモリカード・アダプターにおいて、該ハウジングはさらに、下蓋を設け、下蓋に連結し端子基板に備える上蓋を覆うことを特徴とするツーインワン挿入式メモリカード・アダプターとしている。
請求項３の考案は、請求項２記載のツーインワン挿入式メモリカード・アダプターにおいて、上蓋は金属製であることを特徴とするツーインワン挿入式メモリカード・アダプターとしている。
請求項４の考案は、請求項２記載のツーインワン挿入式メモリカード・アダプターにおいて、上蓋はプラスチック製であることを特徴とするツーインワン挿入式メモリカード・アダプターとしている。
請求項５の考案は、請求項１記載のツーインワン挿入式メモリカード・アダプターにおいて、該ハウジングはさらに、下蓋を設け、下蓋に連結し、端子基板を挟む内蓋を設け、下蓋に連結し、端子基板を覆う上蓋を設けることを特徴とするツーインワン挿入式メモリカード・アダプターとしている。
請求項６の考案は、請求項５記載のツーインワン挿入式メモリカード・アダプターにおいて、上蓋は金属製であることを特徴とするツーインワン挿入式メモリカード・アダプターとしている。
請求項７の考案は、請求項５記載のツーインワン挿入式メモリカード・アダプターにおいて、内蓋はプラスチック製であることを特徴とするツーインワン挿入式メモリカード・アダプターとしている。
請求項８の考案は、請求項１記載のツーインワン挿入式メモリカード・アダプターにおいて、該端子基板上に複数の貫通孔を設け、下蓋に前記の複数の貫通孔に対応し、内蓋と接触する熱溶融突起棒を設けることを特徴とするツーインワン挿入式メモリカード・アダプターとしている。
【考案の効果】
【００１５】
本考案は公知技術に比べて、以下等の効果を優れている。
（１）  同じアダプターは二つ規格のメモリカード変換に提供できるため、携帯の便利性のほか、利用者の調達コストを軽減できる。
（２）  第１端子組と第２端子組は端子基板に設けることにより、ハウジングは外力によって、少しの変形を生じても端子組の排列間隔および期待する電気効果に直接的な影響を受けない。特に、ハウジングの上蓋と下蓋は、粘着または融合の接合方式を採用するため、本考案による技術手段は、各端子組の固定並びに電気接続効果は、公知技術に比べて、格段に優れている。
（３）  このほか、二つの端子組を一つの端子基板に整合する技術手段は、アダプターの製造および組み立てプロセスに、よりよい効率を与える。
【考案を実施するための最良の形態】
【００１６】
図１に示すものは、本考案の実施例１における立体分解図である。本実施例において、ツーインワン挿入式メモリカード・アダプターは主に、下蓋１０、端子基板２０、上蓋４０、書込防止滑り駒５０および固定筐体６０より構成する。そのうち、該下蓋１０および上蓋４０は、その外形をＳＤサイズのハウジングを形成し、下蓋１０は略Ｕ字形皿状の構造体を設け、その先端部に電気導通片組１１を設けて、下蓋１０は若干の上向きに突起する熱溶融あばら板１２と熱溶融突起棒１３を設ける。書込防止滑り駒５０はＳＤカードスロットを装備した電子製品に書込防止の識別手段とする。本実施例実施例１において、該上蓋４０は金属部材を使用し、下蓋１０と噛み合わせる。
【００１７】
図２に示すものは、本考案の実施例２における立体分解図である。本実施例において、ツーインワン挿入式メモリカード・アダプターは主に、下蓋１０、端子基板２０、上蓋４０、書込防止滑り駒５０および固定筐体６０より構成する。そのうち、該上蓋４０はプラスチック部材を使用し、下蓋１０と噛み合わせる。
【００１８】
図３に示すものは、本考案の実施例３における立体分解図である。本実施例において、ツーインワン挿入式メモリカード・アダプターは主に、下蓋１０、端子基板２０、内蓋３０、上蓋４０、書込防止滑り駒５０および固定筐体６０より構成する。本実施例において、内蓋３０はプラスチック部材を使用し、上蓋４０は金属部材を使用し、構成する。そのうち、該下蓋１０および上蓋４０は、その外形をＳＤサイズのハウジングを形成し、下蓋１０は略Ｕ字形皿状の構造体を設け、その先端部に電気導通片組１１を設けて、下蓋１０は若干の上向きに突起する熱溶融あばら板１２と熱溶融突起棒１３を設ける。書込防止滑り駒５０はＳＤカードスロットを装備した電子製品に書込防止の識別手段とする。
【００１９】
図３、図４、図５を合せて参照する。端子基板２０の裏側は電気導通窓組１１に対応場所に、電気導通片組２１を設け、該電気導通片組２１はＳＤカードの電気接続規格を設ける。端子基板２０に第１端子組２２および第２端子組２３を設け、該第１端子組２２と第２端子組を合せて前記の電気導通片組２１に電気接続する。端子基板２０はさらに、若干の貫通孔２４を設けて、前記の溶融突起棒１３に対応する。下蓋１０と端子基板２０と組合せた後、その後端部にＭＩＮＩ ＳＤカードサイズ、挿入後固定される接続溝１４を形成する。
【００２０】
本考案によるツーインワン挿入式メモリカード・アダプターを実施するとき、第１端子組２２の下部に対応することにより、貫通しない第１引込み溝組２５を設け、第１端子組２２を接続するときの弾性引込みに備える。さらに、ツーインワン挿入式メモリカード・アダプターは、第２端子組２３の下部に対応することにより、貫通しない第２引込み溝組１６を設け、第２引込み溝組２３を接続するときの弾性引込みに備える。
【００２１】
さらに、前記の第１引込み溝組２５は実施するとき、図１と図に示すとおり、端子基板２０は第１端子組２２の下部に対応して第１引込み溝組２５１を設け、貫通しない第１引込み溝組２５を下蓋１０に備える第１引込み溝組２５１の対応場所に設けることにより、第１端子組２２は結合するときの弾性引込みは、第１引込み溝組２５１を介して、端子基板２０を貫通し、貫通しない第１引込み溝組２５に引き込む。
【００２２】
図４と図５に示すとおり、端子基板２０が下蓋１０において、より良い固定効果を図るため、内蓋３０を高周波溶融方式により、下蓋１０に溶着し、端子基板２０とはさみ合う。挟んだ後は図６に示す態様となる。
【００２３】
図７に示すとおり、実施するとき、該上蓋４０はプラスチック部材により、下蓋２０に締結する方式のほか、金属部材を使用し、下蓋２０に締結することができる。上蓋４０は下蓋２０上部に締結し、端子基板２０を覆うほか、接続溝１４に方方向に開口部を形成する区域を構成する。上蓋４０左右両側に複数の上蓋固定具締結具４１を設け、前記の上蓋固定具締結具４１は下蓋２０に備える複数の固定溝１５に対応し、上蓋４０と下蓋２０を締結する。
【００２４】
図８に示すとおり、接続溝１４はＭＩＮＩ ＳＤカード７０サイズのアダプターを挿入し固定できるため、ＭＩＮＩ ＳＤカード７０はアダプターの後部より接続溝１４に挿入することにより固定できる。さらにＭＩＮＩ ＳＤカード７０を前記の接続溝１４に挿入固定したとき、第１端子組２２はＭＩＮＩ ＳＤカード７０と接続される。
【００２５】
図９に示すとおり、本実施例によるもう一つの特長は、接続溝１４はＭＩＮＩ ＳＤカード７０サイズのアダプターを挿入固定できるほか、固定筐体６０はＭＩＮＩ ＳＤカード７０の寸法に形成し、該固定筐体６０にＭＩＣＲＯ ＳＤカード８０を固定するための固定部６１を設ける。固定筐体６０は前記の接続溝１４に挿入固定したとき、該第２端子組２３はＭＩＣＲＯ ＳＤカード８０に接続される。つまり、ＭＩＣＲＯ ＳＤカード８０は固定筐体６０の固定により、間接的接続溝１４に挿入し、第２端子組２３に接続される。
【図面の簡単な説明】
【００２６】
【図１】本考案実施例１の立体分解図である。
【図２】本考案実施例２の立体分解図である。
【図３】本考案実施例３の立体分解図である。
【図４】本考案実施例３の端子基板裏側の概略図である。
【図５】本考案実施例３の下蓋と端子基板の組合せ概略図である。
【図６】本考案実施例３の下蓋と端子基板および内蓋の組合せ概略図である。
【図７】本考案実施例３の下蓋と上蓋の組合せ概略図である。
【図８】本考案実施例３におけるＭＩＮＩ ＳＤカードの直接挿接の概略図である。
【図９】本考案実施例３におけるＭＩＣＲＯ ＳＤカードの間接挿接の概略図である。
【符号の説明】
【００２７】
１０  下蓋
１１  電気導通窓組
１２  熱溶融あばら板
１３  熱溶融突起棒
１４  接続溝
１５  固定溝
１６  第２引込み溝組
２０  端子基板
２１  電気導通片組
２２  第１端子組
２３  第２端子組
２４  貫通孔
２５  第１引込み溝組
３０  内蓋
４０  上蓋
４１  上蓋固定具締結具
５０  書込防止滑り駒
６０  固定筐体
６１  固定部
７０  ＭＩＮＩ ＳＤカード
８０  ＭＩＣＲＯ ＳＤカード
【図１】
0003125249.tif 000003
【図２】
0003125249.tif 000004
【図３】
0003125249.tif 000005
【図４】
0003125249.tif 000006
【図５】
0003125249.tif 000007
【図６】
0003125249.tif 000008
【図７】
0003125249.tif 000009
【図８】
0003125249.tif 000010
【図９】
0003125249.tif 000011